(57)【特許請求の範囲】
【請求項１】
止水栓、量水器及び逆止弁をそれぞれ収納しうる収納部を有し、量水器の表示部を見うるように切欠部が形成され、長手方向に垂直に２分割されてなる内側保温材、該内側保温材を嵌入し固定しうる略筒状の外側保温材、及び該外側保温材の蓋体よりなる、止水栓と量水器と逆止弁が順次連結されている水道メータの保温カバーであって、止水栓収納部は止水栓と略同一形状であり、量水器収納部は、短径が量水器の幅と略同一であり、長径が量水器の長さより長い略長円形の横断面形状であり、逆止弁収納部は、短径が逆止弁の幅と略同一であり、長径が逆止弁の長さより長い略長円形又は略長方形の横断面形状であることを特徴とする水道メータ保温カバー。
【発明の詳細な説明】
【０００１】
【発明の属する技術分野】
本発明は、水道メータ保温カバーに関する。
【０００２】
【従来の技術】
従来、水道メータは、検針時に読み取り可能なように地表付近に埋設することが一般に行われていたが、土砂や落ち葉等で埋設位置が不明になることがあり、最近では水道メータを立ち上げた立ち上がり方式の水道メータが一般に使用されている。
【０００３】
特に、マンション等の中高層ビルの水道メータは地階若しくは１階から上階に水道水を供給するため、ビルの吹きさらしの場所に設置されている。そのため冬季、特に厳寒時には凍結破壊する欠点があった。
【０００４】
水道メータの凍結破壊は量水器のガラスが破壊されるので、凍結破壊防止のため、意匠第５５９１４９号、意匠第５８０６２１号等には量水器のみを保護する保温カバーが提案されている。
【０００５】
しかし、量水器のガラスが破壊されるまでの過程を観察すると、凍結は量水器の上流側及び下流側に接続されている止水栓及び逆止弁から始まり、量水器の凍結は最後になっている。
【０００６】
これは止水栓及び逆止弁は内容積が小さく、熱伝導率の大きい青銅鋳物で製造されており、且つ冷却効果の増進される凹凸形状になっており表面積が大きいからであり、止水栓及び逆止弁内の水道水が最初に凍結し、凍結による体積膨張分が両者の中央にある量水器に圧力を負荷し、その圧力上昇により量水器のガラスが破壊されているのである。
【０００７】
従って、水道メータの凍結破壊防止のためには止水栓、量水器及び逆止弁の全てを保温するのが好ましく、例えば実公平３−４２３３６号公報には量水器と止水栓を収納しうる嵌合部を有し、長手方向に２分割された内側保護カバーと、内側保護カバーを緊締して一体化する箱型外側保護カバーと蓋よりなる水道メータ保護カバーが提案されている。
【０００８】
一方、水道メータの口径は１６ｍｍ、２０ｍｍ、２５ｍｍと種々あり、使用水量、水道蛇口の数、中高層ビルの場合は損失水頭等を考慮して決定される。そして水道メータは口径が異なっても止水栓、量水器及び逆止弁の大きさは略同一であるが、口径の違いにより止水栓と量水器及び逆止弁との距離が異なっている。即ち、口径が大きくなるほど止水栓から量水器及び逆止弁への距離が長くなっている。
【０００９】
従って、実公平３−４２３３６号公報に記載の水道メータ保護カバーでは、水道メータの口径毎に保護カバーを製造しなければならず、多くの金型が必要で経済的でなく、保管やデリバリーも面倒であった。
【００１０】
【発明が解決しようとする課題】
本発明の目的は、上記欠点に鑑み、水道メータの止水栓、量水器及び逆止弁を同時に保温でき、且つ口径の異なる水道メータにも適用しうる水道メータ保温カバーを提供することにある。
【００１１】
【課題を解決するための手段】
本発明の水道メータ保温カバーは、止水栓、量水器及び逆止弁をそれぞれ収納しうる収納部を有し、量水器の表示部を見うるように切欠部が形成され、長手方向に垂直に２分割されてなる内側保温材、該内側保温材を嵌入し固定しうる筒状の外側保温材、及び該外側保温材の蓋体よりなる、止水栓と量水器と逆止弁が順次連結されている水道メータの保温カバーであって、止水栓収納部は止水栓と略同一形状であり、量水器収納部は、短径が量水器の幅と略同一であり、長径が量水器の長さより長い略長円形の横断面形状であり、逆止弁収納部は、短径が逆止弁の幅と略同一であり、長径が逆止弁の長さより長い略長円形又は略長方形の横断面形状であることを特徴とする。
【００１２】
【発明の実施の形態】
本発明の水道メータ保温カバー及びその施工方法を図面を参照して説明する。図１は内側保温材を水道メータに嵌合する施工方法の一例を示す説明図である。
【００１３】
図中１は水道メータである。水道メータ１は、上流側配管１１と下流側配管１２の間に止水栓１３と量水器１４と逆止弁１５がユニオン継手１６・・と配管１７・・を介して順次連結されている。止水栓１３には止水栓１３を開閉するためのハンドル１８が上方に接続されており、量水器１４は表示部１９が上方になるように連結されている。
【００１４】
内側保温材は、長手方向に垂直に２分割された形状の左内側保温材２と右内側保温材３よりなる。左内側保温材２と右内側保温材３は略対称形であるが、左内側保温材２の右内側保温材３に接する面の下部に凸条２１が形成され、右内側保温材３の左内側保温材２に接する面の下部に凸条２１が嵌合される凹溝（図示せず）が形成されている点が異なっており、凸条２１を凹溝に嵌合することにより左内側保温材２と右内側保温材３は一体となり、内側保温材となる。
【００１５】
内側保温材（左内側保温材２と右内側保温材３）には、止水栓１３を収納しうる止水栓収納部２２、量水器１４を収納しうる量水器収納部２３及び逆止弁１５を収納しうる逆止弁収納部２４が形成されている。
【００１６】
止水栓収納部２２は止水栓１３と略同一形状であり、上方にハンドル１８が挿通される開口部２５が形成されている。即ち、止水栓１３は止水栓収納部２２に密着した状態で収納されるようになされている。
【００１７】
量水器収納部２３は、量水器１４の表示部１９が上方から見えるように上方に切欠部２６が形成され、その横断面形状は短径が量水器１４の幅と略同一であり、長径が量水器１４の長さより長い略長円形になされている。即ち、止水栓１３と量水器１４の距離が近い場合は、量水器１４は量水器収納部２３の止水栓収納部２２側で収納され、止水栓１３と量水器１４の距離が遠い場合は、量水器１４は量水器収納部２３の逆止弁収納部２４側で収納される。
【００１８】
逆止弁収納部２４は、その横断面形状が、短径が逆止弁の幅と略同一であり、長径が逆止弁の長さより長い略長円形又は略長方形になされている。即ち、量水器１４と逆止弁１５との距離が近い場合は、逆止弁１５は逆止弁収納部２４の量水器収納部２３側で収納され、量水器１４と逆止弁１５との距離が遠い場合は、逆止弁１５は逆止弁収納部２４の下流側配管１２側で収納される。
【００１９】
左内側保温材２及び右内側保温材３には、止水栓収納部２２と量水器収納部２３の間と量水器収納部２３及び逆止弁収納部２４の間に、内側保温材の幅方向の凹溝２７、２８が形成されている。又、左内側保温材２及び右内側保温材３の外周下部付近に外方に向かう段部２９が形成されている。
【００２０】
内側保温材を水道メータ１に嵌合するには、左内側保温材２及び右内側保温材３を水道メータ１の左右から、止水栓１３が止水栓収納部２２に収納され、量水器１４が量水器収納部２３に収納され、逆止弁１５が逆止弁収納部２４に収納されるように押圧し、左内側保温材２の凸条２１を右内側保温材３の凹溝に嵌合する。
【００２１】
図２は内側保温材に外側保温材を嵌入する施工方法の一例を示す説明図である。図中４は水道メータ１が左内側保温材２及び右内側保温材３で嵌合された状態を示しており、量水器１４の表示部１９は上方から見えるように、又、止水栓１３のハンドル１８は内側保温材より上方に突出して、左内側保温材２及び右内側保温材３でカバーされている。
【００２２】
５は内部保温材を嵌入し、段部２９に載置することにより内部保温材を固定しうる筒状の外側保温材である。
【００２３】
外側保温材５の内部には、内側保温材の凹溝２７及び２８に対応する位置に、それぞれ凹溝２７及び２８に嵌入しうる形状で、凹溝２７及び２８の深さと略同一の厚みの桟５１及び５２が形成されている。又、外側保温材５の上部には蓋体が着脱自在に嵌合できるように段差５３が形成されている。
【００２４】
外側保温材５を内側保温材に嵌入するには、図２に示したように、内部保温材の上から下端部が内部保温材の段部２９に載置されるまで押圧すればよい。
【００２５】
図３は蓋体７を嵌合する施工方法の一例を示す説明図である。図中６は外側保温材５が内側保温材に嵌入された状態を示しており、内側保温材の上面と桟５１及び５２の上面は略同一高さで略平面になっている。又、量水器１４の表示部１９は桟５１、５２の間で上方から見え、止水栓１３のハンドル１８は内側保温材より上方に突出して上方から操作できるようになされている。
【００２６】
蓋体７は下面に外側保温材５の段部５３に嵌合しうる段部（図示せず）が形成されており、外側保温材５に着脱自在に載置され、量水器１４の表示部１９及び止水栓１３のハンドル１８が外方から見えないようにカバーできるようになされている。
【００２７】
上記内部保温材、外部保温材及び蓋体は任意の材料で製造されてよいが、保温効果の高い材料で製造されるのが好ましく、例えば、スチレン樹脂、スチレン−エチレン共重合体、エチレン樹脂、プロピレン樹脂、ウレタン樹脂、フェノール樹脂、尿素樹脂、ゴム等の樹脂の発泡体が好ましい。又、各部材の製造方法も任意の方法が採用されてよいが、精度のよい部材を得るには上記樹脂を型内発泡成形して製造するのが好ましい。
【００２８】
【発明の効果】
本発明の水道メータ保温カバーの構成は上述の通りであるから、止水栓と量水器と逆止弁が順次連結されている水道メータの口径が異なっていても、即ち、止水栓と量水器と逆止弁との距離が異なっていても、同一の水道メータ保温カバーで止水栓と量水器と逆止弁を同時に容易にカバーでき、保温することができるので、冬季における水道メータの凍結破壊を防止できる。
【００２９】
又、厳寒時に最初に凍結を始める止水栓は、内側保温材が密着した状態で保温されているので保温効果が優れていて凍結しにくく、例え逆止弁が凍結しても止水栓は凍結しないので量水器に圧力が負荷されず、量水器が破壊されることがない。
【図面の簡単な説明】
【図１】内側保温材を水道メータに嵌合する施工方法の一例を示す説明図である。
【図２】内側保温材に外側保温材を嵌入する施工方法の一例を示す説明図である。
【図３】蓋体を嵌合する施工方法の一例を示す説明図である。
【符号の説明】
１    水道メータ
１３  止水栓
１４  量水器
１５  逆止弁
２    左内側保温材
２２  止水栓収納部
２３  量水器収納部
２４  逆止弁収納部
３    右内側保温材
５    外側保温材
７    蓋体
【図１】
0004011328.tif 000002
【図２】
0004011328.tif 000003
【図３】
0004011328.tif 000004